(57)【要約】【課題】信頼性を優先させるか互換性を優先させるかを目的に応じて適宜選択可能な光情報記録を行なう。【解決手段】光記録媒体１にレーザ光を照射する光ピックアップ３を記録データに従い駆動制御し、片面に複数の記録層を有する構造の光記録媒体の各記録層に対して情報を光学的に記録するに際して、光ピックアップ３によって情報の記録動作を行なう記録層の順番を選択可能とし、選択された順番で記録層に対して情報の記録動作を行なうことで、例えば、光記録媒体１の光入射面から遠い記録層から光入射面に向かう順番で記録層に情報記録することで記録品質の向上を狙ったり、逆に、光記録媒体１の光入射面に近い記録層から順に記録層に記録することで互換性ある光記録媒体を生成したりすることができ、これにより、合目的的な情報記録の実行が可能となる。【選択図】    図１
2004288293.tif 000002
【特許請求の範囲】
【請求項１】
光記録媒体にレーザ光を照射する光ピックアップを記録データに従い駆動制御し、片面に複数の記録層を有する構造の光記録媒体の前記各記録層に対して情報を光学的に記録する光記録装置において、
前記光ピックアップによって情報の記録動作を行なう前記記録層の順番を選択可能とする手段と、
選択された順番で前記記録層に対して前記光ピックアップによって情報の記録動作を実行させる手段と、
を具備することを特徴とする光記録装置。
【請求項２】
前記記録層の順番を選択可能とする手段は、ユーザによる所望の順番選択を許容することを特徴とする請求項１記載の光記録装置。
【請求項３】
前記光ピックアップによって情報の記録動作を行なう前記記録層の優先順位を設定する手段を具備し、
前記記録層の順番を選択可能とする手段は、設定された優先順位に従い前記記録層の順番を選択することを特徴とする請求項１記載の光記録装置。
【請求項４】
前記記録層の順番を選択可能とする手段は、ユーザによる所望の順番選択を許容し、ユーザ選択された順番が設定された優先順位に反する場合には前記光ピックアップによる情報の記録動作の実行処理を停止することを特徴とする請求項３記載の光記録装置。
【請求項５】
前記記録データを参照してそのデータ容量を獲得する手段と、
獲得したデータ容量が複数の前記記録層にまたがる容量であるかどうかを判定する手段と、
を具備し、前記記録層の順番を選択可能とする手段は、獲得したデータ容量が複数の前記記録層にまたがる容量であるとの判定結果に応じて、光入射面から最も離反した前記記録層から前記光入射面に向かう順番で前記記録層の順番を選択することを特徴とする請求項１記載の光記録装置。
【請求項６】
前記記録層の順番を選択可能とする手段は、ユーザによる所望の順番選択を許容し、ユーザ選択された順番が前記光入射面から最も離反した前記記録層から前記光入射面に向かう順番でない場合には前記光ピックアップによる情報の記録動作の実行処理を停止することを特徴とする請求項５記載の光記録装置。
【請求項７】
光記録媒体にレーザ光を照射する光ピックアップを記録データに従い駆動制御し、片面に複数の記録層を有する構造の光記録媒体の前記各記録層に対して情報を光学的に記録する光記録装置を制御する情報処理装置において、
前記光ピックアップによって情報の記録動作を行なう前記記録層の順番を選択可能とする手段と、
選択された順番で前記記録層に対して前記光ピックアップによって情報の記録動作を実行させる手段と、
を具備することを特徴とする情報処理装置。
【請求項８】
前記記録層の順番を選択可能とする手段は、ユーザによる所望の順番選択を許容することを特徴とする請求項７記載の情報処理装置。
【請求項９】
前記光ピックアップによって情報の記録動作を行なう前記記録層の優先順位を設定する手段を具備し、
前記記録層の順番を選択可能とする手段は、設定された優先順位に従い前記記録層の順番を選択することを特徴とする請求項７記載の情報処理装置。
【請求項１０】
前記記録層の順番を選択可能とする手段は、ユーザによる所望の順番選択を許容し、ユーザ選択された順番が設定された優先順位に反する場合には前記光ピックアップによる情報の記録動作の実行処理を停止することを特徴とする請求項９記載の情報処理装置。
【請求項１１】
前記記録データを参照してそのデータ容量を獲得する手段と、
獲得したデータ容量が複数の前記記録層にまたがる容量であるかどうかを判定する手段と、
を具備し、前記記録層の順番を選択可能とする手段は、獲得したデータ容量が複数の前記記録層にまたがる容量であるとの判定結果に応じて、光入射面から最も離反した前記記録層から前記光入射面に向かう順番で前記記録層の順番を選択することを特徴とする請求項７記載の情報処理装置。
【請求項１２】
前記記録層の順番を選択可能とする手段は、ユーザによる所望の順番選択を許容し、ユーザ選択された順番が前記光入射面から最も離反した前記記録層から前記光入射面に向かう順番でない場合には前記光ピックアップによる情報の記録動作の実行処理を停止することを特徴とする請求項１１記載の情報処理装置。
【請求項１３】
光記録媒体にレーザ光を照射する光ピックアップを記録データに従い駆動制御し、片面に複数の記録層を有する構造の光記録媒体の前記各記録層に対して情報を光学的に記録する光記録方法において、
前記光ピックアップによって情報の記録動作を行なう前記記録層の順番を選択可能とする工程と、
選択された順番で前記記録層に対して前記光ピックアップによって情報の記録動作を実行させる工程と、
を具備することを特徴とする光記録方法。
【請求項１４】
前記記録層の順番を選択可能とする工程では、ユーザによる所望の順番選択を許容することを特徴とする請求項１３記載の光記録方法。
【請求項１５】
前記光ピックアップによって情報の記録動作を行なう前記記録層の優先順位を設定する工程を具備し、
前記記録層の順番を選択可能とする工程では、設定された優先順位に従い前記記録層の順番を選択することを特徴とする請求項１３記載の光記録方法。
【請求項１６】
前記記録層の順番を選択可能とする工程では、ユーザによる所望の順番選択を許容し、ユーザ選択された順番が設定された優先順位に反する場合には前記光ピックアップによる情報の記録動作の実行処理を停止することを特徴とする請求項１５記載の光記録方法。
【請求項１７】
前記記録データを参照してそのデータ容量を獲得する工程と、
獲得したデータ容量が複数の前記記録層にまたがる容量であるかどうかを判定する工程と、
を具備し、前記記録層の順番を選択可能とする工程では、獲得したデータ容量が複数の前記記録層にまたがる容量であるとの判定結果に応じて、光入射面から最も離反した前記記録層から前記光入射面に向かう順番で前記記録層の順番を選択することを特徴とする請求項１３記載の光記録方法。
【請求項１８】
前記記録層の順番を選択可能とする工程では、ユーザによる所望の順番選択を許容し、ユーザ選択された順番が前記光入射面から最も離反した前記記録層から前記光入射面に向かう順番でない場合には前記光ピックアップによる情報の記録動作の実行処理を停止することを特徴とする請求項１７記載の光記録方法。
【請求項１９】
光記録媒体にレーザ光を照射する光ピックアップを記録データに従い駆動制御し、片面に複数の記録層を有する構造の光記録媒体の前記各記録層に対して情報を光学的に記録する光記録装置を制御するコンピュータにインストールされ、このコンピュータに、
前記光ピックアップによって情報の記録動作を行なう前記記録層の順番を選択可能とする手段と、
選択された順番で前記記録層に対して前記光ピックアップによって情報の記録動作を実行させる手段と、
を実行させる機械読み取り可能な光記録用プログラム。
【請求項２０】
前記記録層の順番を選択可能とする手段は、ユーザによる所望の順番選択を許容することを特徴とする請求項１９記載の光記録用プログラム。
【請求項２１】
前記コンピュータに、前記光ピックアップによって情報の記録動作を行なう前記記録層の優先順位を設定する手段を実行させ、前記記録層の順番を選択可能とする手段は、設定された優先順位に従い前記記録層の順番を選択することを特徴とする請求項１９記載の光記録用プログラム。
【請求項２２】
前記記録層の順番を選択可能とする手段は、ユーザによる所望の順番選択を許容し、ユーザ選択された順番が設定された優先順位に反する場合には前記光ピックアップによる情報の記録動作の実行処理を停止することを特徴とする請求項２１記載の光記録用プログラム。
【請求項２３】
前記コンピュータに、
前記記録データを参照してそのデータ容量を獲得する手段と、
獲得したデータ容量が複数の前記記録層にまたがる容量であるかどうかを判定する手段と、
を実行させ、前記記録層の順番を選択可能とする手段は、獲得したデータ容量が複数の前記記録層にまたがる容量であるとの判定結果に応じて、光入射面から最も離反した前記記録層から前記光入射面に向かう順番で前記記録層の順番を選択することを特徴とする請求項１９記載の光記録用プログラム。
【請求項２４】
前記記録層の順番を選択可能とする手段は、ユーザによる所望の順番選択を許容し、ユーザ選択された順番が前記光入射面から最も離反した前記記録層から前記光入射面に向かう順番でない場合には前記光ピックアップによる情報の記録動作の実行処理を停止することを特徴とする請求項２３記載の光記録用プログラム。
【請求項２５】
請求項１９ないし２４のいずれか一記載の光記録用プログラムを格納する記憶媒体。
【発明の詳細な説明】
【０００１】
【発明の属する技術分野】
本発明は、光記録媒体、例えば光ディスク（ＣＤ−ＲＯＭ／ＣＤ−Ｒ／ＣＤ−ＲＷ・ＤＶＤ−ＲＯＭ／Ｒ／ＲＷ／ＲＡＭ・ＤＶＤ＋ＲＷ／＋Ｒ・ＷＯＲＭ）、光磁気ディスク（ＭＯ・ＭＤ）等のうち、複数の記録層を持つ光記録媒体に光学的に情報を記録する光記録装置、光記録方法、光記録用プログラム、及びそのプログラムを記憶する記憶媒体に関する。
【０００２】
【従来の技術】
近年、光ディスクにおいて、複数の記録層を持つものが現れてきた。例えば、再生専用であるＤＶＤ−ＲＯＭ光ディスクには、第一層のみの光ディスク（ＤＶＤ５）の他、第二層を持った光ディスク（ＤＶＤ９）も規定されている。ここで、第二層を持ったＤＶＤ９は第一層のみのＤＶＤ５と全く異なった光ディスクというわけではなく、再生の互換性について問題が少ない。これに対して、現在のところ、記録型ＤＶＤにはそのような規定が無い。
【０００３】
ところで、片面に複数の記録層を有する構造の光ディスクでは、片面からのレーザ照射によって情報記録が可能であるという特性を有することから、その記録再生技術の普及が望まれている。ところが、この方式で各記録層に情報記録を行なう場合、光入射面側の記録層を記録した後に奥側の記録層に記録を行なうと、奥側に位置する記録層に対する記録状態が良好にならず、信頼性が高い高品質な記録が不可能となるという問題がある。その原因としては、光入射面側の記録層に記録された記録マークの影響で奥側の記録層に記録されるべき記録マークが正しく記録されないのではないかと推察される。実際には、記録された情報を再生して各種のテストを行なうと、信頼性が高い高品質な記録が行なわれていないことが明白となる。
【０００４】
このような問題に着目した発明としては、例えば、特許文献１及び２に例示するようなものがある。特に、特許文献２に記載された発明は、光ディスクの光入射面よりも奥側に位置する記録層に対して情報記録を行ない、その後に光入射面側の記録層に対して情報記録を行なう、というものである。
【０００５】
【特許文献１】
特開２０００−２０７７７４公報
【特許文献２】
特開２００１−１２６２５５公報
【０００６】
【発明が解決しようとする課題】
上記特許文献２に記載された発明は、光ディスクの光入射面よりも奥側に位置する記録層に対して最初に情報記録を行なうことで、光入射面側に形成される記録マークの影響をなくすことができるというものである。しかしながら、上述した第二層を持った光ディスク（ＤＶＤ９）の規定によれば、光入射面側から情報記録した光ディスクは殆んど問題なく再生可能であるのに対して、光ディスクの光入射面よりも奥側に位置する記録層から情報記録して生成した光ディスクの場合、その情報再生を行なうことができないという問題がある。つまり、光ディスクの光入射面よりも奥側に位置する記録層に対して最初に情報記録を行なう場合には、例えばＤＶＤ−ＲＯＭ等のような再生用の光ディスクとの互換性がない光ディスクが生成されてしまう。
【０００７】
本発明の目的は、信頼性を優先させるか互換性を優先させるかを目的に応じて適宜選択可能な光情報記録を行なうことである。
【０００８】
【課題を解決するための手段】
請求項１記載の発明は、光記録媒体にレーザ光を照射する光ピックアップを記録データに従い駆動制御し、片面に複数の記録層を有する構造の光記録媒体の前記各記録層に対して情報を光学的に記録する光記録装置において、前記光ピックアップによって情報の記録動作を行なう前記記録層の順番を選択可能とする手段と、選択された順番で前記記録層に対して前記光ピックアップによって情報の記録動作を実行させる手段と、を具備する。
【０００９】
したがって、光ピックアップによって情報の記録動作を行なう記録層の順番が適宜選択される。これにより、例えば光記録媒体の光入射面から遠い記録層から光入射面に向かう順番で記録層に記録することで記録品質を向上させたり、逆に、光記録媒体の光入射面に近い記録層から順に記録層に記録することで互換性ある光記録媒体としたり等、合目的的な情報記録が可能となる。
【００１０】
請求項２記載の発明は、請求項１記載の光記録装置において、前記記録層の順番を選択可能とする手段は、ユーザによる所望の順番選択を許容する。
【００１１】
したがって、記録層に対して、ユーザが選択した順番に従い光ピックアップによる情報の記録動作が行なわれる。
【００１２】
請求項３記載の発明は、請求項１記載の光記録装置において、前記光ピックアップによって情報の記録動作を行なう前記記録層の優先順位を設定する手段を具備し、前記記録層の順番を選択可能とする手段は、設定された優先順位に従い前記記録層の順番を選択する。
【００１３】
したがって、記録層に対して、設定された優先順位に従い光ピックアップによる情報の記録動作が行なわれる。
【００１４】
請求項４記載の発明は、請求項３記載の光記録装置において、前記記録層の順番を選択可能とする手段は、ユーザによる所望の順番選択を許容し、ユーザ選択された順番が設定された優先順位に反する場合には前記光ピックアップによる情報の記録動作の実行処理を停止する。
【００１５】
したがって、記録層に対して、ユーザが選択した順番に従い光ピックアップによる情報の記録動作が行なわれる。この場合、ユーザ選択された順番が設定された優先順位に反する場合には、情報記録動作が行なわれない。
【００１６】
請求項５記載の発明は、請求項１記載の光記録装置において、前記記録データを参照してそのデータ容量を獲得する手段と、獲得したデータ容量が複数の前記記録層にまたがる容量であるかどうかを判定する手段と、を具備し、前記記録層の順番を選択可能とする手段は、獲得したデータ容量が複数の前記記録層にまたがる容量であるとの判定結果に応じて、光入射面から最も離反した前記記録層から前記光入射面に向かう順番で前記記録層の順番を選択する。
【００１７】
したがって、記録しようとするデータのデータ容量が複数の記録層にまたがる場合には、光入射面から最も離反した記録層から光入射面に向かう順番で記録層の順番が選択され、信頼性が高い高品質な記録が可能となる。
【００１８】
請求項６記載の発明は、請求項５記載の光記録装置において、前記記録層の順番を選択可能とする手段は、ユーザによる所望の順番選択を許容し、ユーザ選択された順番が前記光入射面から最も離反した前記記録層から前記光入射面に向かう順番でない場合には前記光ピックアップによる情報の記録動作の実行処理を停止する。
【００１９】
したがって、記録層に対して、ユーザが選択した順番に従い光ピックアップによる情報の記録動作が行なわれる。この場合、記録しようとするデータのデータ容量が複数の記録層にまたがる状況下では、ユーザ選択された順番が光入射面から最も離反した記録層から光入射面に向かう順番でない場合には、情報記録動作が行なわれない。
【００２０】
請求項７記載の発明は、光記録媒体にレーザ光を照射する光ピックアップを記録データに従い駆動制御し、片面に複数の記録層を有する構造の光記録媒体の前記各記録層に対して情報を光学的に記録する光記録装置を制御する情報処理装置において、前記光ピックアップによって情報の記録動作を行なう前記記録層の順番を選択可能とする手段と、選択された順番で前記記録層に対して前記光ピックアップによって情報の記録動作を実行させる手段と、を具備する。
【００２１】
したがって、光ピックアップによって情報の記録動作を行なう記録層の順番が適宜選択される。これにより、例えば光記録媒体の光入射面から遠い記録層から光入射面に向かう順番で記録層に記録することで記録品質を向上させたり、逆に、光記録媒体の光入射面に近い記録層から順に記録層に記録することで互換性ある光記録媒体としたり等、合目的的な情報記録が可能となる。
【００２２】
請求項８記載の発明は、請求項７記載の情報処理装置において、前記記録層の順番を選択可能とする手段は、ユーザによる所望の順番選択を許容する。
【００２３】
したがって、記録層に対して、ユーザが選択した順番に従い光ピックアップによる情報の記録動作が行なわれる。
【００２４】
請求項９記載の発明は、請求項７記載の情報処理装置において、前記光ピックアップによって情報の記録動作を行なう前記記録層の優先順位を設定する手段を具備し、前記記録層の順番を選択可能とする手段は、設定された優先順位に従い前記記録層の順番を選択する。
【００２５】
したがって、記録層に対して、設定された優先順位に従い光ピックアップによる情報の記録動作が行なわれる。
【００２６】
請求項１０記載の発明は、請求項９記載の情報処理装置において、前記記録層の順番を選択可能とする手段は、ユーザによる所望の順番選択を許容し、ユーザ選択された順番が設定された優先順位に反する場合には前記光ピックアップによる情報の記録動作の実行処理を停止する。
【００２７】
したがって、記録層に対して、ユーザが選択した順番に従い光ピックアップによる情報の記録動作が行なわれる。この場合、ユーザ選択された順番が設定された優先順位に反する場合には、情報記録動作が行なわれない。
【００２８】
請求項１１記載の発明は、請求項７記載の情報処理装置において、前記記録データを参照してそのデータ容量を獲得する手段と、獲得したデータ容量が複数の前記記録層にまたがる容量であるかどうかを判定する手段と、を具備し、前記記録層の順番を選択可能とする手段は、獲得したデータ容量が複数の前記記録層にまたがる容量であるとの判定結果に応じて、光入射面から最も離反した前記記録層から前記光入射面に向かう順番で前記記録層の順番を選択する。
【００２９】
したがって、記録しようとするデータのデータ容量が複数の記録層にまたがる場合には、光入射面から最も離反した記録層から光入射面に向かう順番で記録層の順番が選択され、信頼性が高い高品質な記録が可能となる。
【００３０】
請求項１２記載の発明は、請求項１１記載の情報処理装置において、前記記録層の順番を選択可能とする手段は、ユーザによる所望の順番選択を許容し、ユーザ選択された順番が前記光入射面から最も離反した前記記録層から前記光入射面に向かう順番でない場合には前記光ピックアップによる情報の記録動作の実行処理を停止する。
【００３１】
したがって、記録層に対して、ユーザが選択した順番に従い光ピックアップによる情報の記録動作が行なわれる。この場合、記録しようとするデータのデータ容量が複数の記録層にまたがる状況下では、ユーザ選択された順番が光入射面から最も離反した記録層から光入射面に向かう順番でない場合には、情報記録動作が行なわれない。
【００３２】
請求項１３記載の発明は、光記録媒体にレーザ光を照射する光ピックアップを記録データに従い駆動制御し、片面に複数の記録層を有する構造の光記録媒体の前記各記録層に対して情報を光学的に記録する光記録方法において、前記光ピックアップによって情報の記録動作を行なう前記記録層の順番を選択可能とする工程と、選択された順番で前記記録層に対して前記光ピックアップによって情報の記録動作を実行させる工程と、を具備する。
【００３３】
したがって、光ピックアップによって情報の記録動作を行なう記録層の順番が適宜選択される。これにより、例えば光記録媒体の光入射面から遠い記録層から光入射面に向かう順番で記録層に記録することで記録品質を向上させたり、逆に、光記録媒体の光入射面に近い記録層から順に記録層に記録することで互換性ある光記録媒体としたり等、合目的的な情報記録が可能となる。
【００３４】
請求項１４記載の発明は、請求項１３記載の光記録方法において、前記記録層の順番を選択可能とする工程では、ユーザによる所望の順番選択を許容する。
【００３５】
したがって、記録層に対して、ユーザが選択した順番に従い光ピックアップによる情報の記録動作が行なわれる。
【００３６】
請求項１５記載の発明は、請求項１３記載の光記録方法において、前記光ピックアップによって情報の記録動作を行なう前記記録層の優先順位を設定する工程を具備し、前記記録層の順番を選択可能とする工程では、設定された優先順位に従い前記記録層の順番を選択する。
【００３７】
したがって、記録層に対して、設定された優先順位に従い光ピックアップによる情報の記録動作が行なわれる。
【００３８】
請求項１６記載の発明は、請求項１５記載の光記録方法において、前記記録層の順番を選択可能とする工程では、ユーザによる所望の順番選択を許容し、ユーザ選択された順番が設定された優先順位に反する場合には前記光ピックアップによる情報の記録動作の実行処理を停止する。
【００３９】
したがって、記録層に対して、ユーザが選択した順番に従い光ピックアップによる情報の記録動作が行なわれる。この場合、ユーザ選択された順番が設定された優先順位に反する場合には、情報記録動作が行なわれない。
【００４０】
請求項１７記載の発明は、請求項１３記載の光記録方法において、前記記録データを参照してそのデータ容量を獲得する工程と、獲得したデータ容量が複数の前記記録層にまたがる容量であるかどうかを判定する工程と、を具備し、前記記録層の順番を選択可能とする工程では、獲得したデータ容量が複数の前記記録層にまたがる容量であるとの判定結果に応じて、光入射面から最も離反した前記記録層から前記光入射面に向かう順番で前記記録層の順番を選択する。
【００４１】
したがって、記録しようとするデータのデータ容量が複数の記録層にまたがる場合には、光入射面から最も離反した記録層から光入射面に向かう順番で記録層の順番が選択され、信頼性が高い高品質な記録が可能となる。
【００４２】
請求項１８記載の発明は、請求項１７記載の光記録方法において、前記記録層の順番を選択可能とする工程では、ユーザによる所望の順番選択を許容し、ユーザ選択された順番が前記光入射面から最も離反した前記記録層から前記光入射面に向かう順番でない場合には前記光ピックアップによる情報の記録動作の実行処理を停止する。
【００４３】
したがって、記録層に対して、ユーザが選択した順番に従い光ピックアップによる情報の記録動作が行なわれる。この場合、記録しようとするデータのデータ容量が複数の記録層にまたがる状況下では、ユーザ選択された順番が光入射面から最も離反した記録層から光入射面に向かう順番でない場合には、情報記録動作が行なわれない。
【００４４】
請求項１９記載の機械読み取り可能な光記録用プログラムの発明は、光記録媒体にレーザ光を照射する光ピックアップを記録データに従い駆動制御し、片面に複数の記録層を有する構造の光記録媒体の前記各記録層に対して情報を光学的に記録する光記録装置を制御するコンピュータにインストールされ、このコンピュータに、前記光ピックアップによって情報の記録動作を行なう前記記録層の順番を選択可能とする手段と、選択された順番で前記記録層に対して前記光ピックアップによって情報の記録動作を実行させる手段と、を実行させる。
【００４５】
したがって、光ピックアップによって情報の記録動作を行なう記録層の順番が適宜選択される。これにより、例えば光記録媒体の光入射面から遠い記録層から光入射面に向かう順番で記録層に記録することで記録品質を向上させたり、逆に、光記録媒体の光入射面に近い記録層から順に記録層に記録することで互換性ある光記録媒体としたり等、合目的的な情報記録が可能となる。
【００４６】
請求項２０記載の発明は、請求項１９記載の光記録用プログラムにおいて、前記記録層の順番を選択可能とする手段は、ユーザによる所望の順番選択を許容する。
【００４７】
したがって、記録層に対して、ユーザが選択した順番に従い光ピックアップによる情報の記録動作が行なわれる。
【００４８】
請求項２１記載の発明は、請求項１９記載の光記録用プログラムにおいて、前記コンピュータに、前記光ピックアップによって情報の記録動作を行なう前記記録層の優先順位を設定する手段を実行させ、前記記録層の順番を選択可能とする手段は、設定された優先順位に従い前記記録層の順番を選択する。
【００４９】
したがって、記録層に対して、設定された優先順位に従い光ピックアップによる情報の記録動作が行なわれる。
【００５０】
請求項２２記載の発明は、請求項２１記載の光記録用プログラムにおいて、前記記録層の順番を選択可能とする手段は、ユーザによる所望の順番選択を許容し、ユーザ選択された順番が設定された優先順位に反する場合には前記光ピックアップによる情報の記録動作の実行処理を停止する。
【００５１】
したがって、記録層に対して、ユーザが選択した順番に従い光ピックアップによる情報の記録動作が行なわれる。この場合、ユーザ選択された順番が設定された優先順位に反する場合には、情報記録動作が行なわれない。
【００５２】
請求項２３記載の発明は、請求項１９記載の光記録用プログラムにおいて、前記コンピュータに、前記記録データを参照してそのデータ容量を獲得する手段と、獲得したデータ容量が複数の前記記録層にまたがる容量であるかどうかを判定する手段と、を実行させ、前記記録層の順番を選択可能とする手段は、獲得したデータ容量が複数の前記記録層にまたがる容量であるとの判定結果に応じて、光入射面から最も離反した前記記録層から前記光入射面に向かう順番で前記記録層の順番を選択する。
【００５３】
したがって、記録しようとするデータのデータ容量が複数の記録層にまたがる場合には、光入射面から最も離反した記録層から光入射面に向かう順番で記録層の順番が選択され、信頼性が高い高品質な記録が可能となる。
【００５４】
請求項２４記載の発明は、請求項２３記載の光記録用プログラムにおいて、前記記録層の順番を選択可能とする手段は、ユーザによる所望の順番選択を許容し、ユーザ選択された順番が前記光入射面から最も離反した前記記録層から前記光入射面に向かう順番でない場合には前記光ピックアップによる情報の記録動作の実行処理を停止する。
【００５５】
したがって、記録層に対して、ユーザが選択した順番に従い光ピックアップによる情報の記録動作が行なわれる。この場合、記録しようとするデータのデータ容量が複数の記録層にまたがる状況下では、ユーザ選択された順番が光入射面から最も離反した記録層から光入射面に向かう順番でない場合には、情報記録動作が行なわれない。
【００５６】
請求項２５記載の発明は、請求項１９ないし２４のいずれか一記載の光記録用プログラムを格納する記憶媒体である。したがって、請求項１９ないし２４のいずれか一記載の光記録用プログラムと同一の作用効果を有する。
【００５７】
【発明の実施の形態】
本発明の実施の一形態を図１ないし図８に基づいて説明する。
【００５８】
［光記録装置］
まず、光記録装置である光ディスクドライブＡについて図１を参照しながら説明する。図１は、光ディスクドライブＡの機能ブロック図である。この光ディスクドライブＡは、光記録媒体である光ディスク１に対して光学的に情報記録を実行する。図１において、１は光ディスク、２はスピンドルモータ、３は光ピックアップ、４はモータドライバ、５はリードアンプ、６はサーボ手段、７はＤＶＤデコーダ、８はＡＤＩＰデコーダ、９はレーザコントローラ、１０はＤＶＤエンコーダ、１１はＤＶＤ−ＲＯＭエンコーダ、１２はバッファＲＡＭ、１３はバッファマネージャ、１４はＤＶＤ−ＲＯＭデコーダ、１５はＡＴＡＰＩ／ＳＣＳＩインターフェース、１６はＤ／Ａコンバータ、１７はＲＯＭ、１８はＣＰＵ、１９はＲＡＭを示し、ＬＢはレーザ光、Ａｕｄｉｏはオーディオ出力信号を示す。
【００５９】
また、図１において、矢印はデータが主に流れる方向を示しており、また、簡略化のために、図１中の各ブロックを制御するＣＰＵ１８には、太線のみを付けて各ブロックとの接続を省略して示している。
【００６０】
各ブロックとの接続を省略して示されているＣＰＵ１８、ＲＯＭ１７及びＲＡＭ１９は、各ブロックを制御するマイクロコンピュータである。このようなマイクロコンピュータを構成するＲＯＭ１７には、ＣＰＵ１８にて解読可能なコードで記述された制御プログラムや各種媒体に対する制御パラメータ等、長期に渡り記憶しておかなければならないデータが格納されている。なお、光ディスクドライブＡの電源がオン状態になると、前記制御プログラムは不図示のメインメモリにロードされ、ＣＰＵ１８はそのプログラムに従って上記各部の動作を制御するとともに、制御に必要なデータ等を一時的にＲＡＭ１９に保存する。別の実施の形態として、バッテリバックアップ又は不揮発性のＲＡＭ１９を用いれば、このようなＲＡＭ１９に制御プログラムを格納しても良い。
【００６１】
このような光ディスクドライブＡにおいて、光ディスク１は、スピンドルモータ２によって回転駆動される。このスピンドルモータ２は、モータドライバ４とサーボ手段６とにより、線速度または角速度が一定になるように制御される。この線速度又は角速度は、階段的に変更することが可能である。
【００６２】
光ピックアップ３は、図示しない半導体レーザ、光学系、フォーカスアクチュエータ、トラックアクチュエータ、受光素子及びポジションセンサを内蔵しており、レーザ光ＬＢを光ディスク１に照射する。また、この光ピックアップ３は、シークモータによってスレッジ方向への移動が可能である。これらのフォーカスアクチュエータ、トラックアクチュエータ、シークモータは、受光素子とポジションセンサから得られる信号に基づいて、モータドライバ４とサーボ手段５とにより、レーザ光ＬＢのスポットが光ディスク１上の目的の場所に位置するように制御される。さらに、光ピックアップ３は、フォーカスアクチュエータによって後述する光記録媒体としての光ディスク１に設けられた記録層２０４（図３（ｂ）参照）に対する合焦点を適宜調整し得る。この場合、本実施の形態の光ディスク１では、記録層２０４が二層設けられているので、各記録層２０４に対する合焦が可能となっている。
【００６３】
そして、リード時には、光ピックアップ３によって得られた再生信号が、リードアンプ５で増幅されて２値化された後、ＤＶＤデコーダ７に入力される。入力された２値化データは、このＤＶＤデコーダ７において、８／１６復調される。なお、記録データは、８ビットずつまとめられて変調（８／１６変調）されており、この変調では、８ビットを１６ビットに変換している。この場合に、結合ビットは、それまでの「１」と「０」の数が平均的に等しくなるように付けられる。これを「ＤＣ成分の抑制」といい、ＤＣカットされた再生信号のスライスレベル変動が抑圧される。
【００６４】
復調されたデータには、デインターリーブとエラー訂正の処理とが行われる。その後、このデータは、ＤＶＤ−ＲＯＭデコーダ１４へ入力され、データの信頼性を高めるために、さらに、エラー訂正の処理が行われる。このように２回のエラー訂正の処理が行われたデータは、バッファマネージャ１３によって一旦バッファＲＡＭ１２に蓄えられ、セクタデータとして揃った状態で、ＡＴＡＰＩ／ＳＣＳＩインターフェース１５を介して、情報処理装置Ｂへ一気に転送される。なお、音楽データの場合には、ＤＶＤデコーダ７から出力されたデータがＤ／Ａコンバータ１６へ入力され、アナログのオーディオ出力信号Ａｕｄｉｏとして取り出される。
【００６５】
また、ライト時には、ＡＴＡＰＩ／ＳＣＳＩインターフェース１５を介して情報処理装置Ｂから送られてきたデータは、バッファマネージャ１３によって一旦バッファＲＡＭ１２に蓄えられる。その後ライト動作が開始されるが、この場合には、その前にレーザスポットを書き込み開始地点に位置させる必要がある。この地点は、ＤＶＤ＋ＲＷ／＋Ｒでは、予め光ディスク１上にトラックの蛇行により刻まれているウォブル信号によって求められる。書き込み開始地点は、ＤＶＤ−ＲＷ／−Ｒではウォブル信号の代わりにランドプリピット、ＤＶＤ−ＲＡＭ／ＲＡＭ・ＷＯではプリピットによって求められる。
【００６６】
ＤＶＤ＋ＲＷ／＋Ｒディスクにおけるウォブル信号には、ＡＤＩＰ（ＡＤｒｅｓｓ  Ｉｎ  Ｐｒｅ−ｇｒｏｏｖｅ）と呼ばれるアドレス情報が含まれており、この情報が、ＡＤＩＰデコーダ８によって取り出される。また、このＡＤＩＰデコーダ８によって生成される同期信号は、ＤＶＤエンコーダ１０へ入力され、光ディスク１上の正確な位置へのデータの書き込みを可能にしている。バッファＲＡＭ１２のデータに対しては、ＤＶＤ−ＲＯＭエンコーダ１１やＤＶＤエンコーダ１０においてエラー訂正コードの付加やインターリーブ等が行われ、その後、そのようなデータに基づいてレーザコントローラ９が光ピックアップ３を駆動制御し、光ディスク１に対する情報記録がなされる。
【００６７】
別の実施の形態としては、ランドプリピットやプリピットからアドレス情報を得る構成であっても良い。
【００６８】
［情報処理装置］
上述したような光ディスクドライブＡは、情報処理装置Ｂに接続されて使用される。図２は、上述したような光ディスクドライブＡに接続される情報処理装置Ｂのハードウェア構成を示すブロック図である。情報処理装置Ｂは、主制御装置１０１、インターフェース１０２、記録装置（ＨＤＤ）１０３、入力装置１０４及び表示装置１０５を備えている。
【００６９】
主制御装置１０１は、マイクロコンピュータ、メインメモリ（いずれも図示せず）等を含んで構成され、各部を統括制御する。
【００７０】
インターフェース１０２は、光ディスクドライブＡとの双方向の通信インターフェースであり、ＡＴＡＰＩ及びＳＣＳＩ等の標準インターフェースに準拠している。このようなインターフェース１０２は、光ディスクドライブのインターフェース１５と接続されている。なお、各インターフェース１５、１０２間の接続形態は、通信ケーブル（例えばＳＣＳＩケーブル）等の通信線を用いたケーブル接続だけでなく、赤外線などを利用したワイヤレス接続であっても良い。
【００７１】
記録装置（ＨＤＤ）１０３には、主制御装置１０１のマイクロコンピュータで解読可能なコードで記述されたプログラムが格納されている。また、記録装置（ＨＤＤ）１０３には、オペレーティングシステム（ＯＳ）も格納されている。情報処理装置を構成する全てのデバイスは、ＯＳによって管理される。そして、情報処理装置の駆動電源がオン状態になると、上記プログラムやＯＳは主制御装置１０１のメインメモリにロードされる。
【００７２】
入力装置１０４は、例えばキーボード、マウス及びポインティングデバイス等のうち少なくとも１つの入力媒体（図示せず）を備え、ユーザから入力された各種情報を主制御装置１０１に通知する。なお、入力装置１０４からの情報はワイヤレス方式で主制御装置１０１に入力されても良い。
【００７３】
表示装置１０５は、例えばＣＲＴ、液晶ディスプレイ（ＬＣＤ）及びプラズマディスプレイパネル（ＰＤＰ）などの表示部（図示せず）を備え、主制御装置１０１からの各種情報を表示する。
【００７４】
なお、表示装置１０５と入力装置１０４とが一体化したものとして、例えばタッチパネル付きＣＲＴや液晶ディスプレイ（ＬＣＤ）等を用いても良い。
【００７５】
［光ディスク］
図３は、本実施の形態の光ディスクドライブＡによって記録可能な光記録媒体としての光ディスク１を例示する模式図である。
【００７６】
光ディスク１は、図３（ａ）に例示するように、ディスク状の基板２０１の片面上に複数の層２０２が積層されて形成されている。複数の層２０２としては、図３（ｂ）に示すように、保護層２０３、記録層２０４、反射層２０５、及び印刷保護層２０６が積層されている。これらの各層２０２のうち、記録層２０４は二層設けられ、これらの記録層２０４と交互に保護層２０３が三層設けられている。もっとも、別の実施の形態として、記録層２０４は三層以上設けられていても良い。
【００７７】
このような光ディスク１に対して、本実施の形態の光ディスクドライブＡは、前述したように、各記録層２０４に対して光ピックアップ３を合焦させ得る。
【００７８】
［特有の制御］
前述したように、光ディスクドライブＡにおいてはＲＯＭ１７や不揮発性のＲＡＭ１９に、情報処理装置Ｂにおいては記録装置（ＨＤＤ）１０３に、それぞれ制御プログラムが格納されている。このような制御プログラムは、光ディスクドライブＡにおいてはＣＰＵ１８、ＲＯＭ１７及びＲＡＭ１９から構成されるマイクロコンピュータによって、情報処理装置Ｂにおいては主制御装置１０１のマイクロコンピュータによって、それぞれ解釈され実行される。このようなマイクロコンピュータによって解釈実行される処理のうち、本実施の形態において特有の処理を以下に説明する。
【００７９】
図４に基づいて、光ディスクドライブＡに光ディスク１を装着する際の処理内容を説明する。図４は、光ディスクドライブＡのマイクロコンピュータによって実行される光ディスク１を装着した際の処理内容を示すフローチャートである。
【００８０】
まず、ステップＳ１０１でＬ＝１、ｍ＝１と設定する。Ｌは光ディスク１における記録層２０４の層数である。ｍは、光ディスクドライブＡのマイクロコンピュータを構成するＲＡＭ１９に生成される記録層情報テーブル（図５参照）における各記録層２０４に対応した記憶領域を意味する。この記憶領域には、各記録層２０４について、その状態、記録開始可能アドレス、最大記録アドレス、次の記録可能なアドレス、及び最終記録アドレスが記録される。
【００８１】
続くステップＳ１０２では、記録層２０４が何層あるかがチェックされる。この処理は、モータドライバ４によって光ピックアップ３を駆動しつつ、その出力データに基づいてＣＰＵ１８が層数を認識することにより実行される。つまり、光ピックアップ３の合焦点をずらしつつその出力データを拾うと、記録層２０４が存在する位置において光ピックアップ３の出力電圧の振幅が増大する。そこで、光ピックアップ３の出力電圧の振幅が増大した位置を記録層２０４が存在する位置であると認識することで、記録層２０４が何層あるかのチェックが実行される。
【００８２】
ステップＳ１０２でのチェック結果、つまり記録層２０４の層数は、ｎとして光ディスクドライブＡのＲＡＭ１９に一時記憶される。
【００８３】
続くステップＳ１０３では層数Ｌを主制御装置１０１の記憶領域に記憶し、続くステップＳ１０４でＬ層目の情報を取得する。つまり、光ピックアップ３によってＬ層目の記録層２０４の情報をリードし、前述した記録層２０４の状態、記録開始可能アドレス、最大記録アドレス、次の記録可能なアドレス、及び最終記録アドレスについての情報を収集する。このような情報は、光ディスク１のリードインに記録されている管理情報を参照することで容易に得られる。例えば、ＤＶＤ＋ＲＷの場合であれば、ＦＤＣＢ（Ｆｏｒｍａｔ  Ｄｉｓｃ  Ｃｏｎｔｒｏｌ  Ｂｌｏｃｋ）の情報、ＤＶＤ＋Ｒの場合であれば、ＳＤＣＢ（Ｓｅｓｓｉｏｎ  Ｄｉｓｃ  Ｃｏｎｔｒｏｌ  Ｂｌｏｃｋ）の情報を参照することで、上記情報が得られる。
【００８４】
その後、上記情報が取得できたかどうかが判定され（ステップＳ１０５）、取得できた場合には（ステップＳ１０５のＹ）、Ｌ層目の当該情報をｍに記憶する（ステップＳ１０６）。この場合、Ｌ層は、最初は１層目であり、ｍは、最初は１層目の記録層２０４の情報を記憶すべき領域である。これに対して、ステップＳ１０５で上記情報が取得できなかったと判定された場合には（ステップＳ１０５のＮ）、エラーとなる（ステップＳ１０８）。エラー処理は、例えば、光ディスクドライブＡにおける光ディスク１の排出、ＬＥＤ等によるエラー表示、情報処理装置Ｂにインストールされている制御プログラムへのエラー送信等、各種の手法によって実行される。いずれにしても、ユーザがエラーであることを容易に認識できる態様でエラー処理が実行されることが望ましい。
【００８５】
そして、Ｌが記録層２０４の層数として光ディスクドライブＡのＲＡＭ１９に一時記憶されているｎの数、つまりＬｎに達するまで（ステップＳ１０７のＹ）、Ｌ＝Ｌ＋１、ｍ＝ｍ＋１と設定し（ステップＳ１０９）、ステップＳ１０４にリターンする処理が実行される。これにより、各記録層２０４の状態、記録開始可能アドレス、最大記録アドレス、次の記録可能なアドレス、及び最終記録アドレスについて、記録層２０４の層数分の情報が取得される。その結果、図５に例示するような記録層情報テーブルが生成される。図５に例示する記録層情報テーブルは、記録層２０４が少なくとも三層ある場合を例示している。この意味で、図５に例示する記録層情報テーブルは、図３（ｂ）に例示する記録層２０４が二層である光ディスク１と対応するわけではない。
【００８６】
なお、図５に例示する記録層情報テーブルは、光ディスクドライブＡの動作中に各記録層２０４の状態が変化すれば随時更新される。
【００８７】
次いで、情報処理装置Ｂにおけるコマンド受信待機ループの一例について図６を参照して説明する。図６は、情報処理装置Ｂにおけるコマンド受信待機ループの一例を示すフローチャートである。
【００８８】
まず、コマンド受信待機ループでは、記録層２０４の順位指示コマンドの受信（ステップＳ２０１）、記録層２０４の優先順位指示コマンドの受信（ステップＳ２１１）、記録指示コマンドの受信（ステップＳ２２１）等が判定される。つまり、本実施の形態では、情報処理装置Ｂにインストールされている制御プログラムによって、記録層２０４の順番指示をするための入力メニュー、記録層２０４の優先順位指示をするための入力メニュー、記録指示をするための入力メニュー等を表示装置１０５に表示し、それらの指示権限をユーザに提供する。
【００８９】
そこで、情報処理装置Ｂの主制御装置１０１が有するマイクロコンピュータは、記録層２０４の順番指示コマンドを受信すると（ステップＳ２０１）、受信した順番を記憶領域に設定する（ステップＳ２０２）。ここに、光ピックアップ３によって情報の記録動作を行なう記録層２０４の順番を選択可能とする手段の機能（工程）が実行される。この場合、記録層の順番を選択可能とする手段の機能（工程）は、ユーザによる所望の順番選択を許容する。したがって、ユーザの要望に極力応じた情報記録が可能となる。
【００９０】
また、情報処理装置Ｂの主制御装置１０１が有するマイクロコンピュータは、記録層２０４の優先順位指示コマンドを受信すると（ステップＳ２１１）、受信した優先順位を記憶領域に設定する（ステップＳ２１２）。ここに、光ピックアップ３によって情報の記録動作を行なう記録層２０４の順番を選択可能とする手段の機能（工程）が実行され、また、光ピックアップ３によって情報の記録動作を行なう記録層２０４の優先順位を設定する手段の機能（工程）が実行される。
【００９１】
さらに、情報処理装置Ｂの主制御装置１０１が有するマイクロコンピュータは、記録指示を受信すると（ステップＳ２２１）、送信伝文を作成し（ステップＳ２２２）、作成した送信伝文を光ディスクドライブＡに送信する（ステップＳ２２７）。この際、記憶領域に記録層２０４の順番が設定されていれば（ステップＳ２２３のＹ）、送信伝文にその順番を含め（ステップＳ２２４）、記憶領域に記録層２０４の優先順位が設定されていれば（ステップＳ２２５のＹ）、送信伝文にその優先順位を含める（ステップＳ２２６）。これにより、ステップＳ２２７で光ディスクドライブＡに送信される送信伝文には、記録層２０４の順番や優先順位が選択的に含まれることになる。ここに、選択された順番、選択された優先順位で記録層２０４に対して光ピックアップ３によって情報の記録動作を実行させる手段の機能（工程）が実行される。
【００９２】
次いで、光ディスクドライブＡにおけるコマンド受信待機ループの一例について図７を参照して説明する。図７は、光ディスクドライブＡにおけるコマンド受信待機ループの一例を示すフローチャートである。
【００９３】
コマンド受信待機ループでは、記録層２０４の優先順位指示コマンドの受信（ステップＳ１１１）、記録指示コマンドの受信（ステップＳ１２１）等が判定される。
【００９４】
光ディスクドライブＡの主制御装置１０１が有するマイクロコンピュータは、コマンド受信待機ループにおいて、情報処理装置Ｂから送信された記録層２０４の優先順位指示コマンドを受信すると（ステップＳ１１１）、記録層２０４の優先順位の内容を受信し（ステップＳ１１２）、それが設定可能な記録層２０４の優先順位なのかどうかを判定する（ステップＳ１１３）。ステップＳ１１３での判定は、図５に例示する記録層情報テーブルを参照し、実際に記録可能かどうかを考慮して決定する。このステップＳ１１３での判定により、設定不可能な優先順位であると判定された場合には（ステップＳ１１３のＮ）、エラー処理が実行される（ステップＳ１１４）。エラー処理は、例えば、光ディスクドライブＡにおける光ディスク１の排出、ＬＥＤ等によるエラー表示、情報処理装置Ｂにインストールされている制御プログラムへのエラー送信等、各種の手法によって実行される。いずれにしても、ユーザがエラーであることを容易に認識できる態様でエラー処理が実行されることが望ましい。
【００９５】
また、光ディスクドライブＡの主制御装置１０１が有するマイクロコンピュータは、コマンド受信待機ループにおいて、記録指示コマンドを受信した場合には（ステップＳ１２１）、図５に例示する記録層情報テーブルを参照し、そこに含まれている記録指示アドレスがどの記録層２０４に対応するかを決定する（ステップＳ１２２）。この場合の記録指示アドレスは、図６のフローチャート中のステップＳ２２７の処理で情報処理装置Ｂから送信される送信伝文によって指定される。送信伝文中に記録する記録層２０４の順番が含まれている場合には（図６のフローチャート中のステップＳ２２４）、その順番に従った記録指示アドレスとなり、送信伝文中に記録層２０４の優先順位が含まれている場合には（図６のフローチャート中のステップＳ２２６）、その優先順位に従った記録指示アドレスとなる。ここに、光ピックアップ３によって情報の記録動作を行なう記録層３０４の順番を選択可能とする手段の機能（工程）、光ピックアップ３によって情報の記録動作を行なう記録層２０４の優先順位を設定する手段の機能（工程）が実行される。
【００９６】
ここで、送信伝文中に記録する記録層２０４の順番と優先順位との両者が含まれていることが想定される。この場合には、その両者間に矛盾が生ずる可能性がある。そこで、本実施の形態では、続くステップＳ１２３で、送信伝文中に記録する記録層２０４の順番と優先順位とが含まれている場合の処理として、選択された順番の記録層２０４より上位の優先順位の記録層２０４の有無が判定される。この判定の結果、選択された順番の記録層２０４より上位の優先順位の記録層２０４があると判定された場合には（ステップＳ１２３のＹ）、ステップＳ１１４のエラー処理が実行される。ここに、ユーザ選択された順番が設定された優先順位に反する場合には光ピックアップ３による情報の記録動作の実行処理を停止する手段の機能（工程）が実行される。
【００９７】
これに対して、選択された順番の記録層２０４より上位の優先順位の記録層２０４がないと判定された場合には（ステップＳ１２３のＮ）、選択された記録層２０４及びアドレスは記録可能かどうかが判定される（ステップＳ１２４）。この判定は、図５に例示する記録層情報テーブルを参照し、実際に記録可能かどうかを考慮して決定する。このステップＳ１２４での判定により、記録可能でないと判定された場合には（ステップＳ１２４のＮ）、ステップＳ１１４のエラー処理が実行される。これに対して、記録可能であると判定された場合には（ステップＳ１２４のＹ）、受信した記録データに基づいてレーザコントローラ９が光ピックアップ３を駆動制御し、光ディスク１に対する情報記録がなされる（ステップＳ１２５）。ここに、選択された順番で記録層２０４に対して光ピックアップ３によって情報の記録動作を実行させる手段の機能（工程）、設定された優先順位に従い記録層２０４の順番を選択する手段の機能（工程）が実行される。したがって、光ピックアップ３によって情報の記録動作を行なう記録層２０４の順番を適宜選択することができ、これにより、例えば光ディスク１の光入射面から遠い記録層２０４から光入射面に向かう順番で記録層２０４に記録することで記録品質を向上させたり、逆に、光ディスク１の光入射面に近い記録層２０４から順に記録層２０４に記録することで互換性ある光ディスク１を生成したり等、合目的的な情報記録を実行することができる。
【００９８】
次いで、光ディスクドライブＡにおけるコマンド受信待機ループの図７とは別の一例について図８を参照して説明する。図８は、光ディスクドライブＡにおけるコマンド受信待機ループの図７とは別の一例を示すフローチャートである。
【００９９】
コマンド受信待機ループでは、記録構造指定コマンドの受信（ステップＳ１３１）、記録指示コマンドの受信（ステップＳ１４１）等が判定される。
【０１００】
光ディスクドライブＡの主制御装置１０１が有するマイクロコンピュータは、コマンド受信待機ループにおいて、記録構造指定コマンドを受信することがある（ステップＳ１３１）。この記録構造指定コマンドは、これから記録しようとしている範囲を定義したもので、これによって記録動作が行われようとしているアドレス範囲を特定する（ステップＳ１３２）。ここに、記録データを参照してそのデータ容量を獲得する手段の機能（工程）が実行される。そして、続くステップＳ１３３では、記録層２０４を特定する。この際、獲得したデータ容量が複数の記録層２０４にまたがる容量であるかどうかを判定し（判定する手段、工程）、獲得したデータ容量が複数の記録層２０４にまたがる容量であるとの判定結果に応じて、光ディスク１の光入射面から最も離反した記録層２０４から光入射面に向かう順番で記録層２０４の順番が選択される。
【０１０１】
光ディスクドライブＡの主制御装置１０１が有するマイクロコンピュータは、コマンド受信待機ループにおいて、記録指示コマンドを受信した場合には（ステップＳ１４１）、図５に例示する記録層情報テーブルを参照し、そこに含まれている記録指示アドレスがどの記録層２０４に対応するかを決定する（ステップＳ１４２）。
【０１０２】
この場合の記録指示アドレスは、一例として、図６のフローチャート中のステップＳ２２７の処理で情報処理装置Ｂから送信される送信伝文によって指定される。送信伝文中に記録する記録層２０４の順番が含まれている場合には（図６のフローチャート中のステップＳ２２４）、その順番に従った記録指示アドレスとなり、送信伝文中に記録層２０４の優先順位が含まれている場合には（図６のフローチャート中のステップＳ２２６）、その優先順位に従った記録指示アドレスとなる。ここに、光ピックアップ３によって情報の記録動作を行なう記録層３０４の順番を選択可能とする手段の機能（工程）、光ピックアップ３によって情報の記録動作を行なう記録層２０４の優先順位を設定する手段の機能（工程）が実行される。
【０１０３】
そして、光ディスクドライブＡの主制御装置１０１が有するマイクロコンピュータは、ステップＳ１４２で指定された記録指示アドレスに基づく記録層２０４がステップＳ１３３の処理によって記録構造指定コマンドに基づき指定された記録層２０４と矛盾しないかどうかを調査する（ステップＳ１４３）。つまり、ステップＳ１３３では、光ディスク１の光入射面から最も離反した記録層２０４から光入射面に向かう順番で記録層２０４の順番が選択される。そこで、ステップＳ１３３で記録範囲が設定されている場合には、送信伝文中に含まれている記録する記録層２０４の順番に従った記録指示アドレス、あるいは送信伝文中に含まれている記録層２０４の優先順位に従った記録指示アドレスが、光ディスク１の光入射面から最も離反した記録層２０４に対応する記録指示アドレスであるかどうかが判定されることになる（ステップＳ１４３）。
【０１０４】
その結果、光ディスク１の光入射面から最も離反した記録層２０４に対応する記録指示アドレスでないと判定された場合には（ステップＳ１４３のＮ）、エラー処理が実行される（ステップＳ１４４）。エラー処理は、例えば、光ディスクドライブＡにおける光ディスク１の排出、ＬＥＤ等によるエラー表示、情報処理装置Ｂにインストールされている制御プログラムへのエラー送信等、各種の手法によって実行される。いずれにしても、ユーザがエラーであることを容易に認識できる態様でエラー処理が実行されることが望ましい。
【０１０５】
これに対して、光ディスク１の光入射面から最も離反した記録層２０４に対応する記録指示アドレスであると判定された場合には（ステップＳ１４３のＹ）、受信した記録データに基づいてレーザコントローラ９が光ピックアップ３を駆動制御し、光ディスク１に対する情報記録がなされる（ステップＳ１２５）。これにより、信頼性が高い高品質な情報記録を実行することができる。
【０１０６】
【発明の効果】
請求項１記載の発明は、光記録媒体にレーザ光を照射する光ピックアップを記録データに従い駆動制御し、片面に複数の記録層を有する構造の光記録媒体の前記各記録層に対して情報を光学的に記録する光記録装置において、前記光ピックアップによって情報の記録動作を行なう前記記録層の順番を選択可能とする手段と、選択された順番で前記記録層に対して前記光ピックアップによって情報の記録動作を実行させる手段と、を具備するので、光ピックアップによって情報の記録動作を行なう記録層の順番を適宜選択することができ、これにより、例えば光記録媒体の光入射面から遠い記録層から光入射面に向かう順番で記録層に記録することで記録品質を向上させたり、逆に、光記録媒体の光入射面に近い記録層から順に記録層に記録することで互換性ある光記録媒体としたり等、合目的的な情報記録を実行することができる。
【０１０７】
請求項２記載の発明は、請求項１記載の光記録装置において、前記記録層の順番を選択可能とする手段は、ユーザによる所望の順番選択を許容するので、記録層に対して、ユーザが選択した順番に従い光ピックアップによる情報の記録動作を行なうことができ、したがって、ユーザの要望に極力応じた情報記録が可能となる。
【０１０８】
請求項３記載の発明は、請求項１記載の光記録装置において、前記光ピックアップによって情報の記録動作を行なう前記記録層の優先順位を設定する手段を具備し、前記記録層の順番を選択可能とする手段は、設定された優先順位に従い前記記録層の順番を選択するので、記録層に対して、設定された優先順位に従い光ピックアップによる情報の記録動作を行なうことができ、これにより、例えばある記録層への記録を終了しなければ他の記録層への記録に移ることができない等の制限を設けることができる。
【０１０９】
請求項４記載の発明は、請求項３記載の光記録装置において、前記記録層の順番を選択可能とする手段は、ユーザによる所望の順番選択を許容し、ユーザ選択された順番が設定された優先順位に反する場合には前記光ピックアップによる情報の記録動作の実行処理を停止するので、記録の順番についてユーザの意図を極力尊重しながら、例えば設定された優先順位に反するような不都合な順番がユーザ選択された場合には、情報記録動作が実行されないようにして不都合な順番による情報記録を防止することができる。
【０１１０】
請求項５記載の発明は、請求項１記載の光記録装置において、前記記録データを参照してそのデータ容量を獲得する手段と、獲得したデータ容量が複数の前記記録層にまたがる容量であるかどうかを判定する手段と、を具備し、前記記録層の順番を選択可能とする手段は、獲得したデータ容量が複数の前記記録層にまたがる容量であるとの判定結果に応じて、光入射面から最も離反した前記記録層から前記光入射面に向かう順番で前記記録層の順番を選択するので、記録しようとするデータのデータ容量が複数の記録層にまたがる場合には、光入射面から最も離反した記録層から光入射面に向かう順番で記録層の順番を選択することができ、これにより、信頼性が高い高品質な情報記録を実行することができる。
【０１１１】
請求項６記載の発明は、請求項５記載の光記録装置において、前記記録層の順番を選択可能とする手段は、ユーザによる所望の順番選択を許容し、ユーザ選択された順番が前記光入射面から最も離反した前記記録層から前記光入射面に向かう順番でない場合には前記光ピックアップによる情報の記録動作の実行処理を停止するので、記録の順番についてユーザの意図を極力尊重しながら、記録しようとするデータのデータ容量が複数の記録層にまたがる状況下では、ユーザ選択された順番が光入射面から最も離反した記録層から光入射面に向かう順番でない場合には、情報記録動作が実行されないようにして不都合な順番による情報記録を防止することができる。
【０１１２】
請求項７記載の発明は、光記録媒体にレーザ光を照射する光ピックアップを記録データに従い駆動制御し、片面に複数の記録層を有する構造の光記録媒体の前記各記録層に対して情報を光学的に記録する光記録装置を制御する情報処理装置において、前記光ピックアップによって情報の記録動作を行なう前記記録層の順番を選択可能とする手段と、選択された順番で前記記録層に対して前記光ピックアップによって情報の記録動作を実行させる手段と、を具備するので、光ピックアップによって情報の記録動作を行なう記録層の順番を適宜選択することができ、これにより、例えば光記録媒体の光入射面から遠い記録層から光入射面に向かう順番で記録層に記録することで記録品質を向上させたり、逆に、光記録媒体の光入射面に近い記録層から順に記録層に記録することで互換性ある光記録媒体としたり等、合目的的な情報記録を実行することができる。
【０１１３】
請求項８記載の発明は、請求項７記載の情報処理装置において、前記記録層の順番を選択可能とする手段は、ユーザによる所望の順番選択を許容するので、記録層に対して、ユーザが選択した順番に従い光ピックアップによる情報の記録動作を行なうことができ、したがって、ユーザの要望に極力応じた情報記録が可能となる。
【０１１４】
請求項９記載の発明は、請求項７記載の情報処理装置において、前記光ピックアップによって情報の記録動作を行なう前記記録層の優先順位を設定する手段を具備し、前記記録層の順番を選択可能とする手段は、設定された優先順位に従い前記記録層の順番を選択するので、記録層に対して、設定された優先順位に従い光ピックアップによる情報の記録動作を行なうことができ、これにより、例えばある記録層への記録を終了しなければ他の記録層への記録に移ることができない等の制限を設けることができる。
【０１１５】
請求項１０記載の発明は、請求項９記載の情報処理装置において、前記記録層の順番を選択可能とする手段は、ユーザによる所望の順番選択を許容し、ユーザ選択された順番が設定された優先順位に反する場合には前記光ピックアップによる情報の記録動作の実行処理を停止するので、記録の順番についてユーザの意図を極力尊重しながら、例えば設定された優先順位に反するような不都合な順番がユーザ選択された場合には、情報記録動作が実行されないようにして不都合な順番による情報記録を防止することができる。
【０１１６】
請求項１１記載の発明は、請求項７記載の情報処理装置において、前記記録データを参照してそのデータ容量を獲得する手段と、獲得したデータ容量が複数の前記記録層にまたがる容量であるかどうかを判定する手段と、を具備し、前記記録層の順番を選択可能とする手段は、獲得したデータ容量が複数の前記記録層にまたがる容量であるとの判定結果に応じて、光入射面から最も離反した前記記録層から前記光入射面に向かう順番で前記記録層の順番を選択するので、記録しようとするデータのデータ容量が複数の記録層にまたがる場合には、光入射面から最も離反した記録層から光入射面に向かう順番で記録層の順番を選択することができ、これにより、信頼性が高い高品質な情報記録を実行することができる。
【０１１７】
請求項１２記載の発明は、請求項１１記載の情報処理装置において、前記記録層の順番を選択可能とする手段は、ユーザによる所望の順番選択を許容し、ユーザ選択された順番が前記光入射面から最も離反した前記記録層から前記光入射面に向かう順番でない場合には前記光ピックアップによる情報の記録動作の実行処理を停止するので、記録の順番についてユーザの意図を極力尊重しながら、記録しようとするデータのデータ容量が複数の記録層にまたがる状況下では、ユーザ選択された順番が光入射面から最も離反した記録層から光入射面に向かう順番でない場合には、情報記録動作が実行されないようにして不都合な順番による情報記録を防止することができる。
【０１１８】
請求項１３記載の発明は、光記録媒体にレーザ光を照射する光ピックアップを記録データに従い駆動制御し、片面に複数の記録層を有する構造の光記録媒体の前記各記録層に対して情報を光学的に記録する光記録方法において、前記光ピックアップによって情報の記録動作を行なう前記記録層の順番を選択可能とする工程と、選択された順番で前記記録層に対して前記光ピックアップによって情報の記録動作を実行させる工程と、を具備するので、光ピックアップによって情報の記録動作を行なう記録層の順番を適宜選択することができ、これにより、例えば光記録媒体の光入射面から遠い記録層から光入射面に向かう順番で記録層に記録することで記録品質を向上させたり、逆に、光記録媒体の光入射面に近い記録層から順に記録層に記録することで互換性ある光記録媒体としたり等、合目的的な情報記録を実行することができる。
【０１１９】
請求項１４記載の発明は、請求項１３記載の光記録方法において、前記記録層の順番を選択可能とする工程では、ユーザによる所望の順番選択を許容するので、記録層に対して、ユーザが選択した順番に従い光ピックアップによる情報の記録動作を行なうことができ、したがって、ユーザの要望に極力応じた情報記録が可能となる。
【０１２０】
請求項１５記載の発明は、請求項１３記載の光記録方法において、前記光ピックアップによって情報の記録動作を行なう前記記録層の優先順位を設定する工程を具備し、前記記録層の順番を選択可能とする工程では、設定された優先順位に従い前記記録層の順番を選択するので、記録層に対して、設定された優先順位に従い光ピックアップによる情報の記録動作を行なうことができ、これにより、例えばある記録層への記録を終了しなければ他の記録層への記録に移ることができない等の制限を設けることができる。
【０１２１】
請求項１６記載の発明は、請求項１５記載の光記録方法において、前記記録層の順番を選択可能とする工程では、ユーザによる所望の順番選択を許容し、ユーザ選択された順番が設定された優先順位に反する場合には前記光ピックアップによる情報の記録動作の実行処理を停止するので、記録の順番についてユーザの意図を極力尊重しながら、例えば設定された優先順位に反するような不都合な順番がユーザ選択された場合には、情報記録動作が実行されないようにして不都合な順番による情報記録を防止することができる。
【０１２２】
請求項１７記載の発明は、請求項１３記載の光記録方法において、前記記録データを参照してそのデータ容量を獲得する工程と、獲得したデータ容量が複数の前記記録層にまたがる容量であるかどうかを判定する工程と、を具備し、前記記録層の順番を選択可能とする工程では、獲得したデータ容量が複数の前記記録層にまたがる容量であるとの判定結果に応じて、光入射面から最も離反した前記記録層から前記光入射面に向かう順番で前記記録層の順番を選択するので、記録しようとするデータのデータ容量が複数の記録層にまたがる場合には、光入射面から最も離反した記録層から光入射面に向かう順番で記録層の順番を選択することができ、これにより、信頼性が高い高品質な情報記録を実行することができる。
【０１２３】
請求項１８記載の発明は、請求項１７記載の光記録方法において、前記記録層の順番を選択可能とする工程では、ユーザによる所望の順番選択を許容し、ユーザ選択された順番が前記光入射面から最も離反した前記記録層から前記光入射面に向かう順番でない場合には前記光ピックアップによる情報の記録動作の実行処理を停止するので、記録の順番についてユーザの意図を極力尊重しながら、記録しようとするデータのデータ容量が複数の記録層にまたがる状況下では、ユーザ選択された順番が光入射面から最も離反した記録層から光入射面に向かう順番でない場合には、情報記録動作が実行されないようにして不都合な順番による情報記録を防止することができる。
【０１２４】
請求項１９記載の機械読み取り可能な光記録用プログラムの発明は、光記録媒体にレーザ光を照射する光ピックアップを記録データに従い駆動制御し、片面に複数の記録層を有する構造の光記録媒体の前記各記録層に対して情報を光学的に記録する光記録装置を制御するコンピュータにインストールされ、このコンピュータに、前記光ピックアップによって情報の記録動作を行なう前記記録層の順番を選択可能とする手段と、選択された順番で前記記録層に対して前記光ピックアップによって情報の記録動作を実行させる手段と、を実行させるので、光ピックアップによって情報の記録動作を行なう記録層の順番を適宜選択することができ、これにより、例えば光記録媒体の光入射面から遠い記録層から光入射面に向かう順番で記録層に記録することで記録品質を向上させたり、逆に、光記録媒体の光入射面に近い記録層から順に記録層に記録することで互換性ある光記録媒体としたり等、合目的的な情報記録を実行することができる。
【０１２５】
請求項２０記載の発明は、請求項１９記載の光記録用プログラムにおいて、前記記録層の順番を選択可能とする手段は、ユーザによる所望の順番選択を許容するので、記録層に対して、ユーザが選択した順番に従い光ピックアップによる情報の記録動作を行なうことができ、したがって、ユーザの要望に極力応じた情報記録が可能となる。
【０１２６】
請求項２１記載の発明は、請求項１９記載の光記録用プログラムにおいて、前記コンピュータに、前記光ピックアップによって情報の記録動作を行なう前記記録層の優先順位を設定する手段を実行させ、前記記録層の順番を選択可能とする手段は、設定された優先順位に従い前記記録層の順番を選択するので、記録層に対して、設定された優先順位に従い光ピックアップによる情報の記録動作を行なうことができ、これにより、例えばある記録層への記録を終了しなければ他の記録層への記録に移ることができない等の制限を設けることができる。
【０１２７】
請求項２２記載の発明は、請求項２１記載の光記録用プログラムにおいて、前記記録層の順番を選択可能とする手段は、ユーザによる所望の順番選択を許容し、ユーザ選択された順番が設定された優先順位に反する場合には前記光ピックアップによる情報の記録動作の実行処理を停止するので、記録の順番についてユーザの意図を極力尊重しながら、例えば設定された優先順位に反するような不都合な順番がユーザ選択された場合には、情報記録動作が実行されないようにして不都合な順番による情報記録を防止することができる。
【０１２８】
請求項２３記載の発明は、請求項１９記載の光記録用プログラムにおいて、前記コンピュータに、前記記録データを参照してそのデータ容量を獲得する手段と、獲得したデータ容量が複数の前記記録層にまたがる容量であるかどうかを判定する手段と、を実行させ、前記記録層の順番を選択可能とする手段は、獲得したデータ容量が複数の前記記録層にまたがる容量であるとの判定結果に応じて、光入射面から最も離反した前記記録層から前記光入射面に向かう順番で前記記録層の順番を選択するので、記録しようとするデータのデータ容量が複数の記録層にまたがる場合には、光入射面から最も離反した記録層から光入射面に向かう順番で記録層の順番を選択することができ、これにより、信頼性が高い高品質な情報記録を実行することができる。
【０１２９】
請求項２４記載の発明は、請求項２３記載の光記録用プログラムにおいて、前記記録層の順番を選択可能とする手段は、ユーザによる所望の順番選択を許容し、ユーザ選択された順番が前記光入射面から最も離反した前記記録層から前記光入射面に向かう順番でない場合には前記光ピックアップによる情報の記録動作の実行処理を停止するので、記録の順番についてユーザの意図を極力尊重しながら、記録しようとするデータのデータ容量が複数の記録層にまたがる状況下では、ユーザ選択された順番が光入射面から最も離反した記録層から光入射面に向かう順番でない場合には、情報記録動作が実行されないようにして不都合な順番による情報記録を防止することができる。
【０１３０】
請求項２５記載の発明は、請求項１９ないし２４のいずれか一記載の光記録用プログラムを格納する記憶媒体であるので、請求項１９ないし２４のいずれか一記載の光記録用プログラムと同一の作用効果を有する。
【図面の簡単な説明】
【図１】光記録装置（光ディスクドライブ）の機能ブロック図である。
【図２】情報処理装置のハードウェア構成を示すブロック図である。
【図３】光記録媒体（光ディスク）の物理構造を説明するための模式図である。
【図４】光記録装置（光ディスクドライブ）に光記録媒体（光ディスク）を装着する際の処理内容を示すフローチャートである。
【図５】図４に示すフローチャートの処理によって光記録装置（光ディスクドライブ）の記憶領域に生成される記録層情報テーブルを例示する模式図である。
【図６】情報処理装置におけるコマンド受信待機ループの一例を示すフローチャートである。
【図７】光記録装置（光ディスクドライブ）におけるコマンド受信待機ループの一例を示すフローチャートである。
【図８】光記録装置（光ディスクドライブ）におけるコマンド受信待機ループの図７とは別の一例を示すフローチャートである。
【符号の説明】
１        光記録媒体（光ディスク）
３        光ピックアップ
２０４    記録層
Ａ        光記録装置（光ディスクドライブ）
Ｂ        情報処理装置
【図１】
2004288293.tif 000003
【図２】
2004288293.tif 000004
【図３】
2004288293.tif 000005
【図４】
2004288293.tif 000006
【図５】
2004288293.tif 000007
【図６】
2004288293.tif 000008
【図７】
2004288293.tif 000009
【図８】
2004288293.tif 000010